(57)【要約】【課題】排脱石膏をリサイクル処理するに、合わせて廃棄処理されていたカキ殻（或いは／並びにフライアッシュ）をも処理でき、且つ、一体処理するについて、漁礁（海藻用ブロックを含む）及び護岸壁ブロックとして使用し得るだけの十分な強度を持たせること。【解決手段】使用済みの排脱石膏を主体とする構造物の製造方法であって、少なくともセメント、排脱石膏、カキ殻、無機系バインダー及び水を添加物として添加して混練し、養生させて製造する。【特許請求の範囲】
【請求項１】
燃焼系において主に脱硫目的で用いられた使用済みの排脱石膏を主体とする構造物の製造方法であって、
少なくともセメント、排脱石膏、カキ殻、無機系バインダー及び水を添加物として添加して混練し、養生させて製造する排脱石膏を主体とする構造物の製造方法。
【請求項２】
上記添加物として、カキ殻に代えて石炭フライアッシュを添加する請求項１の排脱石膏を主体とする構造物の製造方法。
【請求項３】
上記添加物として、鉄の溶融により発生したスラグを添加する請求項１又は請求項２の排脱石膏を主体とする構造物の製造方法。
【請求項４】
上記添加物の混合割合は、セメントが３．０、排脱石膏が４．０、カキ殻４．０、無機系バインダーが１．０、水が１．８２である請求項１の排脱石膏を主体とする構造物の製造方法。
【請求項５】
上記添加物の混合割合は、セメントが３．０、排脱石膏が４．０、無機系バインダーが１．０、フライアッシュが１．０．スラグが１２．０及び水が０．８４である請求項３の排脱石膏を主体とする構造物の製造方法。
【請求項６】
上記請求項１乃至請求項５の方法により製造された漁礁。
【請求項７】
上記請求項１乃至請求項６の方法により製造された護岸壁ブロック。
【発明の詳細な説明】
【技術分野】
【０００１】本発明は、硫黄成分を含む燃料を用いる火力発電所、ゴミ焼却炉等の燃焼系において、主に脱硫目的で使用された排脱石膏の処理と海産物であるカキの殻とを同時にリサイクル処理するところの排脱石膏を主体とする構造物の製造方法と該製造方法により製造された漁礁及び護岸壁ブロックに関する。
【背景技術】
【０００２】  従来、硫黄成分を含む燃料を用いる火力発電所、ゴミ焼却炉等の燃焼系において発生した排脱石膏は、廃棄処分の他に、一部リサイクルが考えられている。【０００３】  上記排脱石膏の処理としては、つぎの方法が提案されている。
【特許文献１】特開平１１−７１１４３。ここには、排煙脱硫装置から発生した粉体石膏を熱処理せずに酸化マグネシウムを添加し、混合し、水を添加することで高硬度の固化体を作成する方法が提案されている。
【特許文献２】特開２００２−４５８２２。ここには、発電所用の排煙脱硫装置から排出する二水石膏を熱処理して無水又は半水石膏としたものと、発電設備に付着した貝殻を焼成装置で焼成して得られた石灰とに水を添加して混合、混練し、成形固化する方法が提案されている。他方、海産物であるカキは、その殻を廃棄処理するに、一部リサイクルが考えられている。
【０００４】  また、海産物であるカキについて、そのカキ殻の処分に関し、これをリサイクルできないものかと考え、全国の漁業組合で問題となっていた。勿論、最大の懸案事項は、食害動物や環境汚染等に起因する海岸の藻の枯渇によって磯焼けを発生し、その結果、藻に産卵する魚貝類の繁殖が阻害され、漁獲が激減していることである。これを改善せんとして、藻を藻礁（ブロック等）に育成したり、漁礁に育成したりすることが提案されており、その構成素材としてカキ殻を用いる提案がなされている。
【特許文献３】特開２０００−４１５２５。ここには、カキ殻の石灰質性組成を生かし、これをコンクリート、モルタル、セメントに混合させて漁礁ブロックを構成する方法が提案されている。
【特許文献４】実用新案登録第３０９４６９３号。ここには、カキ殻と鉄粉と骨材とセメントを混合した海藻用コンクリートブロックの製造について開示されている。
【発明の開示】
【発明が解決しようとする課題】
【０００５】  上述した方法は、排脱石膏をリサイクル処理する方法として好ましいが、その固化成形された物の具体的な用途がなく、処理後のリサイクルとしては、経済的な価値が認められないものであった。
また、他の添加物と排脱石膏との混練、固化を行うが、セメント等の連結剤だけでは、構造物として用いるに充分な強度を備えているものではなく、この点においても、リサイクルの用途が制限される。
加えて、これまで、廃棄処理されていたカキ殻の上述したリサイクル処理を、上記排脱石膏の処理と同時に行うという試みはなされていなかった。【０００６】  特に、排脱石膏の構造物への転用についても、一般に混合される種々の骨材、例えば、鉄鋼溶融で発生する水滓スラグ、火力発電所等で発生するフライアッシュ、或いは砂利等のバラストに対する連結剤として主にセメントを用いていたが、十分な強度を得るに至っていないこともある。【０００７】  本発明者は、こうした現状に鑑み、排脱石膏をリサイクル処理するに、合わせて廃棄処理されていたカキ殻（或いは／並びにフライアッシュ）をも処理でき、且つ、一体処理するについて、漁礁（海藻用ブロックを含む）及び護岸壁ブロックとして使用し得るだけの十分な強度を持たせるにはどのようにすればよいのかについて研究を重ねた。
【課題を解決するための手段】
【０００８】  本発明かかる排脱石膏を主体とする構造物の製造方法は、上記目的を達成するべく、燃焼系において主に脱硫目的で用いられた使用済みの排脱石膏を主体とする構造物の製造方法であって、少なくともセメント、排脱石膏、カキ殻、無機系バインダー及び水を添加物として添加して混練し、養生させて製造する、という手段を講じたものである。
【発明の効果】
【０００９】  本発明の製造方法及び該方法により製造された漁礁及び護岸壁ブロックによれば、主に排脱石膏とカキ殻とを同時にリサイクル処理できるものであり、その際、他の添加物との連結について、セメントのみならず、無機系バインダーを用いたことによって、混練物が一層強固に固化できることとなって、構造物とした場合に、例えば、漁礁ブロック、護岸壁ブロックとして十分な強度を発揮することが出来るものである。
勿論、無機系バインダーであるために、漁礁として海中にあっても、波浪が及ぶ護岸壁ブロックとして用いられても、有機系バインダーによる有害物質の溶出が起きることもなく、公害発生がない。【００１０】  そして、カキ殻は、その石灰質の性質を生かし、他のフライアッシュ、排脱石膏、他の石膏、スラグ等との結合が良いと共に混練の後にもカキ殻の形状故に構造物に対して自動的に適宜の空隙を生ぜしめることができ、これが海藻の根付きを確かなものとする役割を果たすものである。
【発明を実施するための最良の形態】
【００１１】本発明において、上記添加物として、カキ殻に代えて石炭フライアッシュを添加するようにしてもよい。
また、上記添加物として、鉄の溶融により発生したスラグを添加するようにしてもよい。
更に、上記添加物の混合割合は、セメントが３．０、排脱石膏が４．０、カキ殻４．０、無機系バインダーが１．０、水が１．８２であるのが好ましい。
或いは、上記添加物の混合割合は、セメントが３．０、排脱石膏が４．０、無機系バインダーが１．０、フライアッシュが１．０．スラグが１２．０及び水が０．８４であるのが好ましい。【００１２】  上記方法により製造された漁礁としては、その形状の如何を問わず実施できるものであり、勿論、これには海藻繁殖専用のブロックも含まれるものである。
また、護岸壁ブロックとしては、スレート状壁体、テトラポット等、その形状、構造（鉄筋併用等）については、適宜公知のものを組み合わせて実施できるものである。
【実施例１】
【００１３】  本発明の実施例１について述べると、ここでは、火力発電所における燃焼系（排煙ダクト）において主に脱硫目的で用いられた使用済みの排脱石膏を取り出し、これを処理することにした。
ここでは、セメント、排脱石膏、カキ殻、無機系バインダー及び水を添加物として添加して混練し、所定形状の漁礁型枠に流し込んで所定時間養生させた。【００１４】  この際、上記混合割合として、セメントが３．０、排脱石膏が４．０、カキ殻４．０、無機系バインダーが１．０、水が１．８２とした。
この混合割合は、プラスマイナ１０％の範囲であれば、所期の固化及び強度が得られるものである。
尚、カキ殻は、大雑把な粉砕状態としたもので、２Ｘ２センチから５Ｘ５センチ程度のものが混在したものであった。
この場合の混練物の全重量が１２．８４ｋｇであった。
【実施例２】
【００１５】    本発明の実施例２について説明すると、ここでは、第１実施例と同様に、火力発電所における燃焼系（排煙ダクト）において主に脱硫目的で用いられた使用済みの排脱石膏を取り出し、これを処理することにした。
ここでは、セメント、排脱石膏、フライアッシュ、スラグ、無機系バインダー及び水を添加物として添加して混練し、所定形状の護岸壁ブロックの型枠に流し込んで所定時間養生させた。【００１６】  この場合の、セメントが３．０、排脱石膏が４．０、無機系バインダーが１．０、フライアッシュが１．０．スラグが１２．０及び水が０．８４であった。
この混合割合は、プラスマイナ１０％の範囲であれば、所期の固化及び強度が得られるものである。
【産業上の利用可能性】
【００１７】  本発明の活用例として、排脱石膏のリサイクル処理、廃棄処理されていたカキ殻（或いは／並びにフライアッシュ）の合理的な処理と同時に、魚礁（海藻用ブロックを含む）及び護岸壁ブロックの製造が可能であり、その漁礁を後生湾岸、浅瀬に敷設することで、海藻の育成、魚の産卵を促し、磯焼けの改善を図ることが可能である。また、当該ブロックが強度を持つので、他の産業分野においても利用可能である。